(57)【特許請求の範囲】
【請求項１】
既設管の所定箇所より挿入された光ケーブルを前記既設管に取付けられた分岐管の開閉弁より取り出す光ケーブル取出し方法であって、
前記開閉弁を閉弁し、該開閉弁の接続口に光ケーブル周囲の流体の流れを遮断するケーブルシール弁を液密に装着する工程と、該ケーブルシール弁に管体内を昇降移動するケーブル把持機構を備えたケーブル取出し手段を液密に取付ける工程と、前記開閉弁及びケーブルシール弁を開弁した後、前記ケーブル取出し手段を管体内に挿入し、光ケーブルを捕捉可能な状態で待機させる待機工程と、既設管内の光ケーブルの一部が前記ケーブル取出し手段で捕捉可能な状態で該ケーブル取出し手段を引き上げる工程と、該ケーブル取出し手段を引き上げる過程で光ケーブルを前記ケーブルシール弁でクランプシールする工程と、光ケーブルをクランプシールした上でケーブル取出し手段を取り外す工程と、より成り、
前記ケーブル把持機構が帯状弾性体のクランプリングであり、前記待機工程は、該クランプリングの管体内への押し込み移動により弾性変形させ光ケーブルを前記捕捉可能な状態で待機させると共に、前記ケーブル取出し手段を引き上げる工程は、該クランプリングの引き上げ動作により捕捉可能な状態に弾性変形されたクランプリングが復元され、該クランプリングに光ケーブルの一部を弾力的に挟持することを特徴とする既設管内の光ケーブル取出し方法。
【請求項２】
前記待機工程が、前記クランプリングの端部を既設管内底部に当接させた後、さらに前記クランプリングの押込み移動により前記既設管の内径に倣って円形に弾性変形させることを特徴とする請求項１に記載の既設管内の光ケーブル取出し方法。
【請求項３】
既設管の所定箇所より挿入された光ケーブルを前記既設管に取付けられた分岐管の開閉弁より取り出す光ケーブル取出し装置であって、
前記開閉弁の接続口に取り付けられ、管体内から引き上げられた光ケーブル周囲の流体の流れを遮断するケーブルシール弁と、該ケーブルシール弁に液密に取付けるケーブル取出し手段と、該ケーブル取出し手段により光ケーブルの一部が捕捉可能であることを検出する検出手段と、で構成され、
前記ケーブル取出し手段は、他端が閉塞された所定長さの筒体と、該筒体内に摺動可能に嵌挿され前記筒体の他端を液密に挿通した支持軸と、前記支持軸に連結し該支持軸を昇降移動する昇降機構と、前記支持軸に一端が固定された帯状弾性体のクランプリングから成る前記ケーブル把持機構と、で構成されていることを特徴とする既設管内の光ケーブル取出し装置。
【請求項４】
前記ケーブルシール弁は、光ケーブルを挿通する管体に直交するよう該管体の両側に一対の弁体を進退移動可能に対向配設し、該弁体の対向する部分に、前記光ケーブルと同断面形状の切り欠き部を形成した弾性体が装着されていることを特徴とする請求項３に記載の既設管内の光ケーブル取出し装置。
【請求項５】
前記ケーブルシール弁は、光ケーブルを挿通する管体に直交するよう該管体の両側に一対の弁体を進退移動可能に対向配設し、該弁体の対向面に、前記光ケーブルと同断面形状の切り欠き部を形成すると共に、該切り欠き部の周りには、該切り欠き部に収束するような弁体の厚み方向に交互に重なるとともに、該切り欠き部に収束するような突出部が形成されていることを特徴とする請求項４に記載の既設管内の光ケーブル取出し装置。
【発明の詳細な説明】
【０００１】
【発明の属する技術分野】
本発明は、既設管内に挿入された光ケーブルを不断水状態で既設の分岐管の開閉弁より取り出す取出し方法およびその装置に関する。
【０００２】
【従来の技術】
近年、光通信システムがマルチメディアの構築により医療、保健、福祉等の公的分野でも地域住民に対するサービスを行う通信網として普及しつつある。
【０００３】
この通信網を設置するに際し、光通信システムに使用される多数の光ファイバーを束にして収納した光ケーブルは、末端である各家庭にまで配線することが要求され、これらの配線は、環境上の観点から地上よりも地下に埋設配線されるようになっている。
【０００４】
しかしながら、光ケーブルの埋設のための公道部分での地下掘削作業はいたずらに交通渋滞を引起こし、また他の電線や配管等のライフラインとの干渉を回避させるためにも注意深く作業を行う必要があり、掘削工事費用が嵩む等の問題を有していた。
【０００５】
そこで、発明者等は既に埋設されて高い普及率（９５％）を持ち各家庭やオフィスなど隅々まで行き渡っている既設管としての水道管路網を利用することが上記問題を解決する最良の手段であることを見出した。
【０００６】
【発明が解決しようとする課題】
このように既設の水道管を利用すると、光ケーブルを埋設するための長い掘削作業は不要となるが、少なくとも既設の水道管に光ケーブルを挿入する部分および出口部分の地面にはそれぞれ穴を掘削する作業が必要となる。
【０００７】
そして、上記した既設の水道管に光ケーブルを挿入若しくは取出すための穴を穿設するには、先ず水道管内の水の流れを遮断した上で作業を行なわなければならない。
【０００８】
このため、所定の地域に断水区域が設定され、工場、家庭およびオフィス等への水の供給が中断されることにより需要者には不都合が強いられ、既設の水道管内に挿入された光ケーブルを水道管の途中から不断水状態で外部に取り出す工法及びその装置が求められることになる。
【０００９】
本発明は、上記問題点を解決するためになされたもので、既設管内に挿入された光ケーブルを該既設管に予め取付けられた開閉弁を介して不断水状態で容易に外部へ取り出すことができる既設管内の光ケーブル取出し方法および装置を提供することを目的とする。
【００１０】
【課題を解決するための手段】
本発明の既設管内の光ケーブル取出し方法は、既設管の所定箇所より挿入された光ケーブルを前記既設管に取付けられた分岐管の開閉弁より取り出す光ケーブル取出し方法であって、
前記開閉弁を閉弁し、該開閉弁の接続口に光ケーブル周囲の流体の流れを遮断するケーブルシール弁を液密に装着する工程と、該ケーブルシール弁に管体内を昇降移動するケーブル把持機構を備えたケーブル取出し手段を液密に取付ける工程と、前記開閉弁及びケーブルシール弁を開弁した後、前記ケーブル取出し手段を管体内に挿入し、光ケーブルを捕捉可能な状態で待機させる待機工程と、既設管内の光ケーブルの一部が前記ケーブル取出し手段で捕捉可能な状態で該ケーブル取出し手段を引き上げる工程と、該ケーブル取出し手段を引き上げる過程で光ケーブルを前記ケーブルシール弁でクランプシールする工程と、光ケーブルをクランプシールした上でケーブル取出し手段を取り外す工程と、より成り、
前記ケーブル把持機構が帯状弾性体のクランプリングであり、前記待機工程は、該クランプリングの管体内への押し込み移動により弾性変形させ光ケーブルを前記捕捉可能な状態で待機させると共に、前記ケーブル取出し手段を引き上げる工程は、該クランプリングの引き上げ動作により捕捉可能な状態に弾性変形されたクランプリングが復元され、該クランプリングに光ケーブルの一部を弾力的に挟持することを特徴としている。
この特徴により、既設の水道管に挿入された光ケーブルを不断水状態で、かつ水漏れすることなく容易に地上に取り出すことができ、これを繰り返すことにより、既設の水道管の内部に光ケーブルを長距離に亘って挿入することができると共に、クランプリングの引き上げ動作に基づくクランプリングの変形で挿通した光ケーブルが弾力的に挟持されるので、挟持された光ケーブルは穿孔された既設管の穴を通して容易に外部へ取り出すことができる。
【００１１】
本発明の既設管内の光ケーブル取出し方法は、前記待機工程が、前記クランプリングの端部を既設管内底部に当接させた後、さらに前記クランプリングの押込み移動により前記既設管の内径に倣って円形に弾性変形させることを特徴としている。
この特徴により、クランプリングを押込み移動させるだけで、クランプリングが既設管の内径に倣って円形に弾性変形して開放されるので、既設の水道管内を不特定の位置を移動する光ケーブルを確実に捕えることができる。
【００１２】
本発明の既設管内の光ケーブル取出し装置は、既設管の所定箇所より挿入された光ケーブルを前記既設管に取付けられた分岐管の開閉弁より取り出す光ケーブル取出し装置であって、
前記開閉弁の接続口に取り付けられ、管体内から引き上げられた光ケーブル周囲の流体の流れを遮断するケーブルシール弁と、該ケーブルシール弁に液密に取付けるケーブル取出し手段と、該ケーブル取出し手段により光ケーブルの一部が捕捉可能であることを検出する検出手段と、で構成され、
前記ケーブル取出し手段は、他端が閉塞された所定長さの筒体と、該筒体内に摺動可能に嵌挿され前記筒体の他端を液密に挿通した支持軸と、前記支持軸に連結し該支持軸を昇降移動する昇降機構と、前記支持軸に一端が固定された帯状弾性体のクランプリングから成る前記ケーブル把持機構と、で構成されていることを特徴としている。
この特徴により、既設の水道管に挿入された光ケーブルを不断水状態で、かつ水漏れすることなく容易に地上に取り出すことができ、これを繰り返すことにより、既設の水道管の内部に光ケーブルを長距離に亘って挿入することができると共に、クランプリングの下降動作で先端が既設管の内の底部に押圧される動作のみで簡単に開放され、開放されたクランプリング内に光ケーブルが挿通した段階でクランプリングを引き上げる動作のみで光ケーブルを挟持し、外部に流体を漏出させることなく容易に引き上げることができる。
本発明の既設管内の光ケーブル取出し装置は、前記ケーブルシール弁は、光ケーブルを挿通する管体に直交するよう該管体の両側に一対の弁体を進退移動可能に対向配設し、該弁体の対向する部分に、前記光ケーブルと同断面形状の切り欠き部を形成した弾性体が装着されていることを特徴としている。
この特徴により、一対の弁体対向面が互いに接触した際、光ケーブルを挿通した状態で管体内の流体の流れを確実に遮断することができる。
本発明の既設管内の光ケーブル取出し装置は、前記ケーブルシール弁が、光ケーブルを挿通する管体に直交するよう該管体の両側に一対の弁体を進退移動可能に対向配設し、該弁体の対向面に、前記光ケーブルと同断面形状の切り欠き部を形成すると共に、該切り欠き部の周りには、該切り欠き部に収束するような弁体の厚み方向に交互に重なるとともに、該切り欠き部に収束するような突出部が形成されていることを特徴としている。
この特徴により、管体内を通して引き上げられる光ケーブルの位置にバラツキが生じても光ケーブルを弁体の半円弧切り欠き部に求心することができ、光ケーブルを挿通シールさせた状態で管体内の流体の流れを遮断することができる。
【００１３】
【発明の実施の形態】
以下、実施の形態を挙げ図面に基づいて本発明を説明する。
【００１４】
先ず、本発明の既設管内の光ケーブル取出し装置の実施形態につき説明する。図１は、既設管に光ケーブル取出し装置を取付けた状態を示す部分断面を示す全体図である。
【００１５】
なお、本実施形態では開閉弁として分岐弁を使用した例につき説明する。
【００１６】
図１において、１は既設の水道管を示し、該水道管１の仕切弁２の近傍（必ずしも近傍でなくても良い）にサドル３を介して後述する分岐弁５が取付けられており、該分岐弁５を介して光ケーブル取出し装置４が取付けられる。
【００１７】
この光ケーブル取出し装置４は、分岐弁５の接続口Ｖ２に取付けるべく光ケーブル１４を挿通させた状態で管Ｐ内の流体の流れを遮断するケーブルシール弁６と、該ケーブルシール弁６に液密に取付けるべくケーブル把持機構１３を備えたケーブル取出し手段７と、該ケーブル取出し手段７により光ケーブル１４の一部が捕捉可能であることを検出する検出手段１６とで構成される。
【００１８】
ここで、図２に示すように水道管１に取り付けられている分岐弁５としては、例えば接合口を２つ持つものであり、この分岐の接続口Ｖ１については現状では不使用状態のものであるとして説明する。該分岐弁５の一方の接続口Ｖ１には分岐管Ｔが接続され、他の接続口Ｖ２はキャップＣＰにより閉塞された状態となっている。先ず、分岐弁５は図３に示すように、これを閉弁させた状態で一方の接続口Ｖ１から分岐管Ｔを外しキャップＣＰにより閉塞する。次に、図４に示されるように分岐弁５の他の接続口Ｖ２に後述するケーブルシール弁６を液密に取付けた後、該ケーブルシール弁６に図５および図６に示すケーブル取出し手段７を取付ける。なお、接続口Ｖ２のみを有するものに適用できることは明らかであるばかりか、接続口Ｖ１を現状においても使用中であれば分岐管Ｔを取外す必要がなく、この場合、水の分岐をそのままにして光ケーブルをも取り出すことができることになる。
【００１９】
ケーブル取出し手段７は、該ケーブル取出し手段７内に設けられたケーブル把持機構としてのクランプリング１３が昇降移動可能となっている。また図１に示すように水道管１内に挿入されて開放状態のクランプリング１３内に光ケーブル１４の先端が挿通したことを検出する検出手段が、光ケーブル１４の先端および水道管１の外壁に取付けられる。ここで発信器は、高周波発信器、超音波発信器または磁性体等が考えられる。
【００２０】
ケーブル取出し手段７は、図１に示すように分岐弁５の先端に一端が液密に螺着され他端がキャップ８により液密に閉塞された筒体９と、該筒体９内に摺動可能に嵌挿されキャップ８を回転不能な状態で液密に挿通した支持軸１０に接続されたホルダ１１と、支持軸１０に連結され該支持軸１０を昇降移動する昇降機構１２と、ホルダ１１に互いに直線状に重ね合せた状態で一端が固定され他端が接続された一対の帯状弾性体１３ａ、１３ｂ（図７および図９参照）から成るケーブル把持機構としてのクランプリング１３とで構成されている。
【００２１】
このように構成されたケーブル取出し手段７は、昇降機構１２を手動操作することにより図６に示す最上位置から図７に示す最下位置まで昇降移動させることができる。
【００２２】
ケーブル取出し手段７が最下位置にあるときは、一対の帯状弾性体であるクランプリング１３が図７に示すように既設の水道管１内で円形に弾性変形して開放された状態となっている。
【００２３】
次に検出手段として、光ケーブル１４の先端には発信器１５が装着され、光ケーブル取出し装置４近傍の水道管１外壁には受信器１６が取付けられている。
【００２４】
そこで、図１に示すように既設の水道管１の所定箇所から挿入されて移動してきた光ケーブル１４の先端が、水道管１内で開放状態となっている帯状弾性体１３ａ、１３ｂから成るクランプリング１３内を通過すると間もなく発信器１５からの信号が受信器１６により受信される。
【００２５】
受信器１６により受信が確認さた時点でクランプリング１３を昇降機構１２の手動操作により引き上げると、このクランプリング１３が直線状に復元される動作で光ケーブル１４の先端が弾力的に挟持され、図８の（ａ）に示すように管体Ｐ内を上昇移動する。
【００２６】
光ケーブル１４が上昇移動してケーブルシール弁６を通過するとケーブルシール弁６が閉弁され、光ケーブル１４を挿通シールさせた状態で管体Ｐ内の流体の流れを遮断することができる。
【００２７】
ここでクランプリング１３は、図８の（ａ）に示されるように一対の帯状弾性体１３ａ、１３ｂがバネ鋼板で帯状に形成され、長手方向中央に山形のリブＲ１、Ｒ２が湾曲形成されていて図８（ｂ）の断面に示される接合面に空間が形成されるように互いに直線状に重ね合せた状態で一端がホルダ１１にピン１７を介して枢支され他端が接合されている。
【００２８】
次に、ケーブルシール弁６は、図８の（ａ）に示されるように、光ケーブル１４を挿通下降する管体Ｐに直交するよう該管体Ｐの両側に一対の板状弁体１８ａ、１８ｂを進退移動可能に対向配設され、該弁体１８ａ、１８ｂの対向する平面に、中央に夫々光ケーブル１４直径の半円弧切り欠き部１９ａ、１９ｂを形成した弾性体（例えば硬質ゴム）２０ａ、２０ｂを装着して構成される。
【００２９】
また、図９はケーブルシール弁の他の実施形態を示し、このケーブルシール弁２１は、光ケーブル１４を挿通下降する管体Ｐに直交するよう該管体Ｐの両側に一対の板状の弁体２２ａ、２２ｂを進退移動可能に対向配設し、該弁体２２ａ、２２ｂの対向面に、中央に夫々光ケーブル直径の半円弧切り欠き部２３ａ、２３ｂを形成すると共に、該半円弧切り欠き部２３ａ、２３ｂを底部とするＶ字状の凹部２４ａ、２４ｂを形成して該凹部２４ａ、２４ｂが対向する弁体の厚み方向に交互に形成され、弁体２２ａ、２２ｂの閉塞移動で対向する半円弧切り欠き部２３ａ、２３ｂどうしが接触した際、前記凹部２４ａ、２４ｂによって形成される対向側の両突出部２５ａ、２５ｂおよび２６ａ、２６ｂが挿嵌可能な段付部２７ａ、２７ｂおよび２８ａ、２８ｂが厚み方向に交互に形成されている。
【００３０】
尚、本実施形態では、凹部２４ａ、２４ｂがＶ字形に形成されているが、Ｖ字形に限らずＵ字形でも良く、光ケーブル１４が案内されて底部とする半円弧切り欠き部２３ａ、２３ｂに求心されるような形状であれば良い。
【００３１】
このように構成された本発明の既設管内の光ケーブル取出し装置の作用につき説明する。
【００３２】
既設の水道管１内に所定箇所から挿入された光ケーブル１４を取り出すに際し、図１、図２に示すように水道管１にサドル３を介して予め取付けられている所定の分岐弁５は、図３に示すように閉塞状態にした上で該分岐弁５の一方の接続口Ｖ１から分岐管Ｔを取外して該接続口Ｖ１をキャップＣＰにより閉塞する。
【００３３】
次に、図４に示すように分岐弁５は、該分岐弁５の他方の接続口Ｖ２にキャップＣＰを外してケーブルシール弁６を液密に取付けた後、該ケーブルシール弁６の上部に図５に示すようにケーブル取出し手段７を液密に取付ける。
【００３４】
そこで、図６に示すように分岐弁５、ケーブルシール弁６を開放し、ケーブル取出し手段７のクランプリング１３を昇降機構１２により管体Ｐ内を下降移動し、貫通穴Ｈを通過してクランプリング１３の先端を水道管１の内壁底部に当接させる。さらにクランプリング１３を押圧すると、図７に示すように一対の帯状弾性体１３ａ、１３ｂが弾性変形し水道管１に倣って開放される。
【００３５】
水道管１内を移動してきた光ケーブル１４の先端が、開放状態のクランプリング１３内を通過すると、光ケーブル１４先端の発信器１５から発信される信号が受信器１６で受信されることで、光ケーブル１４先端の位置がクランプ可能な状態として確認される。
【００３６】
このように、開放状態のクランプリング１３内に光ケーブル１４の先端が挿通したことを検出手段により検出されるようにしたので、水道管１内を移動する光ケーブル１４を確実に捕捉することができる。
【００３７】
そこで、図８の（ａ）に示されるようにクランプリング１３が引き上げられると、この引き上げ動作で一対の帯状弾性体１３ａ、１３ｂが直線状に復元されて光ケーブル１４が弾力的に挟持され、光ケーブル１４は管体Ｐ内をクランプリング１３と共に所定位置まで引き出される。
【００３８】
このように、クランプリング１３の下降動作で先端が水道管内の底部に押圧される動作のみで簡単に開放することができ、また開放されたクランプリング１３は、引き上げられる動作により直線状に復元する弾性力により光ケーブルを挟持することができ、光ケーブルを単純な動作で容易に引き上げることができる。
【００３９】
次に、引き上げられた光ケーブル１４は、ケーブルシール弁６の弁体１８ａ、１８ｂによりシールされ、これにより光ケーブル１４を挿通シールさせた状態で管体Ｐ内の流体の流れを確実に遮断することができる。
【００４０】
ここで、図９に示すケーブルシール弁の他の実施形態では、管体Ｐの両側に配設された弁体２２ａ、２２ｂが管体Ｐの中心に向けて移動すると、光ケーブル１４はＶ字形の凹部２４ａ、２４ｂに案内されて中央の半円弧切り欠き部２３ａ、２３ｂに嵌合され、光ケーブル１４を挿通シールさせた状態で管体Ｐ内の流体の流れが遮断される。
【００４１】
これにより、管内Ｐを通して引き上げられる光ケーブル１４の位置にバラツキが生じても光ケーブル１４を弁体２２ａ、２２ｂの半円弧切り欠き部２３ａ、２３ｂに確実に求心させることができる。
【００４２】
このように既設の水道管内の流体の流れがケーブルシール弁６により遮断された状態で、光ケーブル取出し手段７が該ケーブルシール弁６から取り外されると、ケーブルシール弁６から突出されている光ケーブル１４に別の光ケーブル１４を接続し、さらに延長させて再び既設の水道管内に公知の手段で挿入することができる。
【００４３】
次に、本発明の既設管内の光ケーブル取出し方法の実施形態である光ケーブルの取出し工程につき図２〜図７および図１０をもとに説明する。
【００４４】
先ず、図２および図３に示されるように最初の工程では、既設の水道管１に予めサドル３を介して取付けられている分岐弁５は、該分岐弁５を閉弁した上で一方の接続口Ｖ１から分岐管Ｔが外されると該接続口Ｖ１はキャップＣＰにより閉塞される。
【００４５】
更に次の工程では、図４に示されるように分岐弁５は、他方の接続口Ｖ２にケーブルシール弁６を液密に装着した後、図５に示されるようにケーブルシール弁６に光ケーブル取出し手段７の筒体９を液密に取付ける。
【００４６】
次の工程では、図６に示されるようにケーブルシール弁６に光ケーブル取出し手段７が液密に取付けられると、分岐弁５を開弁した上で図７に示されるようにケーブル取出し手段７のクランプリング１３を、管体Ｐ内を押し下げて水道管１内に挿入しクランプリング１３の先端を水道管１の底部内壁に当接させる。さらにクランプリング１３を押し下げると、水道管１の内壁に倣って円形に弾性変形して開放される。
【００４７】
次に、図７に示すように水道管１内を移動する光ケーブル１４が開放状態のクランプリング１３内を通過した際、該光ケーブル１４の先端に取付けられている発信器１５からの信号を受信器１６により受信することで光ケーブル１４先端の位置が確認され、ここでクランプリング１３を引き上げる。
【００４８】
このクランプリング１３を引き上げる際に、帯状弾性体１３が直線状に復元される動作で光ケーブル１４の先端が弾力的に挟持され、この状態で図８の（ａ）に示すように管体Ｐ内を通して光ケーブル１４を引き上げる工程が実行される。
【００４９】
次の工程では、図８の（ａ）に示すように光ケーブル１４が所定位置まで引き上げられると、光ケーブル１４の途中がケーブルシール弁６でクランプシールされ、光ケーブル１４が液密に挿通された状態で管体Ｐ内の流体の流れが遮断される。
【００５０】
そこで図１０に示されるように、次の工程において管体Ｐがケーブルシール弁６で遮断されると、ケーブル取出し手段７がケーブルシール弁６から取り外される。
【００５１】
このようにして、水道管内の光ケーブル取出し方法の一連の工程が完了し、既設の水道管内の光ケーブル１４を地上に取り出すことができる。
【００５２】
【発明の効果】
本発明は次の効果を奏する。
【００５３】
（ａ）請求項１の発明によれば、既設の水道管に挿入された光ケーブルを不断水状態で、かつ水漏れすることなく容易に地上に取り出すことができ、これを繰り返すことにより、既設の水道管の内部に光ケーブルを長距離に亘って挿入することができると共に、クランプリングの引き上げ動作に基づくクランプリングの変形で挿通した光ケーブルが弾力的に挟持されるので、挟持された光ケーブルは穿孔された既設管の穴を通して容易に外部へ取り出すことができる。
【００５４】
（ｂ）請求項２の発明によれば、クランプリングを押込み移動させるだけで、クランプリングが既設管の内径に倣って円形に弾性変形して開放されるので、既設の水道管内を不特定の位置を移動する光ケーブルを確実に捕えることができる。
（ｃ）請求項３の発明によれば、既設の水道管に挿入された光ケーブルを不断水状態で、かつ水漏れすることなく容易に地上に取り出すことができ、これを繰り返すことにより、既設の水道管の内部に光ケーブルを長距離に亘って挿入することができると共に、クランプリングの下降動作で先端が既設管の内の底部に押圧される動作のみで簡単に開放され、開放されたクランプリング内に光ケーブルが挿通した段階でクランプリングを引き上げる動作のみで光ケーブルを挟持し、外部に流体を漏出させることなく容易に引き上げることができる。
（ｄ）請求項４の発明によれば、一対の弁体対向面が互いに接触した際、光ケーブルを挿通した状態で管体内の流体の流れを確実に遮断することができる。
（ｅ）請求項５の発明によれば、管体内を通して引き上げられる光ケーブルの位置にバラツキが生じても光ケーブルを弁体の半円弧切り欠き部に求心することができ、光ケーブルを挿通シールさせた状態で管体内の流体の流れを遮断することができる。
【００５６】
【図面の簡単な説明】
【図１】本発明の一実施形態である既設管に光ケーブル取出し装置を取付けた状態を示す部分断面図である。
【図２】既設管にサドルを介して予め取付けられている開閉弁の工程図である。
【図３】開閉弁から分岐管を外して接続部を閉塞した状態を示す工程図である。
【図４】開閉弁にケーブルシール弁を取付けた状態を示す工程図である。
【図５】ケーブルシール弁にケーブル取出し手段を取付ける状態を示す工程図である。
【図６】ケーブルシール弁にケーブル取出し手段を取付けた後開閉弁を開放した状態を示す工程図である。
【図７】クランプリングが既設管内で開放される状態を示す説明図である。
【図８】（ａ）は、クランプリングにより引き上げられた光ケーブルがケーブルシール弁によりシールされる状態を示す斜視図であり、（ｂ）は（ａ）のＡ−Ａ断面図である。
【図９】他の実施形態を示すケーブルシール弁の斜視図である。
【図１０】クランプリングにより引き上げられた光ケーブルがケーブルシール弁によりシールされている状態を示す工程図である。
【符号の説明】
１            水道管（既設管）
２            仕切弁
３            サドル
４            光ケーブル取出し装置
５            分岐弁（開閉弁）
６            ケーブルシール弁
７            ケーブル取出し手段
８            キャップ
９            筒体
１０            支持軸
１１            ホルダ
１２            昇降機構
１３            クランプリング（ケーブル把持機構）
１３ａ、１３ｂ  帯状弾性体
１４            光ケーブル
１５            発信器
１６            受信器
１７            ピン
１８ａ、１８ｂ  板状弁体
１９ａ、１９ｂ  半円弧切り欠き部
２０ａ、２０ｂ  弾性体
２１            ケーブルシール弁
２２ａ、２２ｂ  弁体
２３ａ、２３ｂ  半円弧切り欠き部
２４ａ、２４ｂ  凹部
２５ａ、２５ｂ  突出部
２６ａ、２６ｂ  突出部
２７ａ、２７ｂ  段付部
２８ａ、２８ｂ  段付部
ＣＰ            キャップ
Ｈ              貫通穴
Ｐ              管体
Ｒ１、Ｒ２      リブ
Ｔ              分岐管
Ｖ１、Ｖ２      接続口
【図１】
0003766147.tif 000002
【図２】
0003766147.tif 000003
【図３】
0003766147.tif 000004
【図４】
0003766147.tif 000005
【図５】
0003766147.tif 000006
【図６】
0003766147.tif 000007
【図７】
0003766147.tif 000008
【図８】
0003766147.tif 000009
【図９】
0003766147.tif 000010
【図１０】
0003766147.tif 000011